(57)【要約】【課題】各部を冗長構成とした冗長構成通信装置及び系切替方法に関し、コストダウンと系切替えの高速化と増設の容易性とを実現する。【解決手段】複数の加入者線を収容する冗長構成の加入者線ＩＦ部３−０〜３−ｎのパッケージと、局内ＩＦ部８とスイッチ部７とを含む主信号部４と、監視制御部５と、クロック部６と、切替制御部とを含めて共通部としたパッケージとの２種類のパッケージにより通信装置１を構成し、０系と１系との冗長構成の共通部２−１，２−２の運用中の主信号系を含む共通部に故障等の切替要因が発生した時、非運用系の主信号系を含む共通部に於ける切替制御部により系切替えの制御を行う。【選択図】　　　図１
2004112721.tif 000002
【特許請求の範囲】
【請求項１】
複数の加入者線を収容する冗長構成の加入者線ＩＦ部と、局内ＩＦ部とスイッチ部とを含む主信号部と、監視制御部と、系切替えの制御を行う切替制御部とを含む通信装置に於いて、
前記監視制御部と前記切替制御部とを含む監視制御系と、前記局内ＩＦ部と前記スイッチ部とを含む主信号系とを１パッケージ化した共通部を有し、
該共通部を０系と１系との冗長構成とし、
該０系と１系との何れかの運用中の主信号系を含む共通部に於ける監視制御系の監視制御部は、該運用中の主信号系の監視制御を行い、非運用中の主信号系を含む共通部に於ける監視制御系の切替制御部は、前記運用中の主信号系の切替要因発生により系切替えの制御を行う構成を有する
ことを特徴とする冗長構成通信装置。
【請求項２】
前記０系と１系との共通部の主信号系を構成する局内ＩＦ部とスイッチ部との間をセレクタを介して交絡接続した構成を有し、前記切替制御部は、切替要因発生に従って系切替え又は前記セレクタ制御による交絡接続切替えを行う構成を有することを特徴とする請求項１記載の冗長構成通信装置。
【請求項３】
複数の加入者線を収容する冗長構成の加入者線ＩＦ部と、局内ＩＦ部とスイッチ部とを含む主信号部と、監視制御部と、系切替えの制御を行う切替制御部とを含む通信装置に於いて、
前記監視制御部と前記切替制御部とを含む監視制御系と、前記局内ＩＦ部と前記スイッチ部とカスケードＩＦ部とを含む主信号系とを１パッケージ化した共通部を有し、
該共通部を０系と１系との冗長構成としたサブラックの一つをマスタとなる基本サブラックとし、他をスレーブとなるカスケードサブラックとし、前記基本サブラックの０系及び１系に対して、前記カスケードサブラックの０系及び１系をそれぞれ相互に前記カスケードＩＦ部を介して接続し、前記０系と１系との何れかの運用中の系の共通部に於ける切替要因発生により、前記基本サブラックの非運用中の共通部の切替制御部から前記カスケードサブラックの非運用中の共通部の切替制御部に通知して、前記基本サブラックと前記カスケードサブラックとの系切替えを行う構成を有する
ことを特徴とする冗長構成通信装置。
【請求項４】
前記サブラックを構成する０系と１系との共通部に、自系が運用中か非運用中かを示す自系運用状態情報と、自系がサービス中か非サービス中かを示す自系サービス状態情報と、自系が基本サブラックかカスケードサブラックかを示す自系サブラック状態情報と、基本サブラック時のカスケードサブラック番号を示す自系カスケード番号とを含む状態情報を格納する状態管理テーブルを設けたことを特徴とする請求項３記載の冗長構成通信装置。
【請求項５】
前記０系と１系との共通部は、動作状態を引き継ぐ為のバックアップデータを蓄積するバックアップメモリを有し、該バックアップメモリに立上時の系識別データを格納した構成を有することを特徴とする請求項１又は４記載の冗長構成通信装置。
【請求項６】
監視制御部と切替制御部とを含む監視制御系と、局内ＩＦ部とスイッチ部とを含む主信号系とを１パッケージ化した共通部を０系と１系との冗長構成とした冗長構成通信装置の前記０系と１系との何れか一方の運用中の主信号系に切替要因が発生した時に、前記０系と１系との何れか他方の非運用中の監視制御系の切替制御部により系切替えの制御を行う過程を含むことを特徴とする系切替方法。
【請求項７】
監視制御部と切替制御部とを含む監視制御系と、局内ＩＦ部とスイッチ部とカスケードＩＦ部とを含む主信号系とを１パッケージ化した共通部を、０系と１系との冗長構成としたサブラックの一つを基本サブラックとし、他をカスケードサブラックとし、前記基本サブラックの０系と１系とに対して、前記カスケードサブラックの０系と１系とを前記カスケードＩＦ部を介して接続した冗長構成通信装置の前記０系と１系との何れか一方の運用中の主信号系に切替要因が発生した時に、前記基本サブラックの０系と１系との何れか他方の非運用中の監視制御系の切替制御部に前記切替要因を通知し、該切替制御部から前記カスケードサブラックの非運用中の監視制御系の切替制御部に系切替えを通知して、前記基本サブラックと前記カスケードサブラックとを同一系とするように切替える過程を含むことを特徴とする系切替方法。
【発明の詳細な説明】
【０００１】
【発明の属する技術分野】
本発明は、主信号系と監視制御系とを１パッケージ化して、０系と１系との冗長構成とし、切替要因発生時の冗長構成の系切替えを高速で実行可能とした冗長構成通信装置及び０系と１系との系切替方法に関する。
【０００２】
【従来の技術】
各種の装置に於いて、０系と１系との２系統の冗長構成とし、その２系統の何れか一方を現用系、他方を予備系とした構成が知られており、現用系の障害時や保守時等に於いては、予備系の装置を現用系に切替えて処理を継続させ、それまでの現用系を予備系に切替えて保守作業等を行うことにより、信頼性の向上を図っている。又インターネットの普及に伴ってブロードバンドとして例えばＡＤＳＬ（Ａｓｙｍｍｅｔｒｉｃ　Ｄｉｇｉｔａｌ　Ｓｕｂｓｃｒｉｂｅｒ　Ｌｉｎｅ）の普及等に対応して、局側に設置する加入者系の通信装置についても信頼性の向上を図ることが要望されている。
【０００３】
又独立的に動作可能の０系と１系との通話路網に対して、０系と１系との加入者回路共通部を設け、通話路網からの系切替信号に従って、加入者回路に対して０系と１系との何れかの加入者回路共通部を切替接続し、その系切替時の加入者回路の誤動作を防止する系切替制御回路が知られている（例えば、特許文献１参照）。
【０００４】
又通信システムに於ける伝送路についても０系と１系との冗長構成とし、その伝送路を所定の区間毎に、障害発生時の系切替えを行う切替手段を設け、前区間の現用系から予備系への切替えが、後区間の系切替えの要因とならないように、予備系の伝送路に、疑似障害状態としての警報情報を送出し、冗長構成の系切替えを制御することにより、誤動作を防止するシステムが知られている（例えば、特許文献２参照）。
【０００５】
又通信システムとしては、例えば、図４２に示す構成が一般的であり、１００は局装置、１０１はユーザ宅装置、１０２はモデム、１０３はインターネット、１０４は公衆網、１０５は通信装置（加入者線端局装置）、１０６はルータ、１０７は交換機、ＯｐＳは上位のオペレーションシステムを示す。
【０００６】
例えば、前述のＡＤＳＬを適用した場合、データ系は、ユーザ宅装置１０１の端末からモデム１０２を介して局装置１００の通信装置１０５とルータ１０６とを介してインターネット１０３との伝送経路で通信が行われ、音声系は、ユーザ宅装置１０１の電話から、局装置１００の通信装置１０５と交換機１０７とを介して公衆網１０４との伝送経路で通話が行われる。
【０００７】
このような通信システムに於いても、局装置１００の主要部を冗長構成として、障害発生時にも予備系に切替えてサービスを継続して提供できる構成が採用されている。局装置１００の通信装置１０５については、例えば、図４３に示す構成が一般的である。同図に於いて、１０５は通信装置、１１３−０〜１１３−ｎはそれぞれ単一又は複数の加入者線を収容する加入者線ＩＦ（インタフェース）部、１１４は主信号部、１１５は監視制御部、１１６−１，１１６−２はクロック部、１１７−１，１１７−２はスイッチ部、１１８−１，１１８−２は図４２に於けるルータ１０６や交換機１０７と接続する為の局内ＩＦ（インタフェース）部、１１９−１，１１９−２は拡張ＩＦ（インタフェース）部を示す。
【０００８】
通信装置１０５は、主信号部１１４と、加入者線ＩＦ部１１３−０〜１１３−ｎと、監視制御部１１５と、クロック部１１６−１，１１６−２との４ブロック構成とし、監視制御部１１５のブロックを除く他のブロックを冗長構成としている。この場合、ｎ個の加入者線ＩＦ部１１３−１〜１１３−ｎに対して１個の加入者線ＩＦ部１１３−０を予備とし、この予備の加入者線ＩＦ部１１３−０を他の加入者線ＩＦ部に対して図示を省略した切替手段により切替接続を可能としたｎ：１の冗長構成とし、又主信号部１１４を構成するスイッチ部１１７−１，１１７−２と局内ＩＦ部１１８−１，１１８−２と拡張ＩＦ部１１９−１，１１９−２とを１：１の冗長構成とし、又各部にクロック信号を供給するクロック部１１６−１，１１６−２を１：１の冗長構成とした場合を示す。
【０００９】
又監視制御部１１５は、主信号部１１４に対する設定，制御及び障害情報の収集等の処理を行うものであり、主信号部１１４とは物理的に独立した構成とし、監視制御部１１５の障害が、主信号部１１４に直接的に影響を与えることがないように構成している。なお、監視制御部１１５を冗長構成とすると、それぞれにプロセッサやバックアップメモリ等を搭載し、監視処理を行うと共に、相互に連絡して切替えの制御を行うことになるから、回路構成の複雑さと処理の複雑さとにより、迅速な切替えが容易でないと共に、コストアップとなる。
【００１０】
【特許文献１】
特開平６−３３５０３６号公報（第５頁，第６頁、図１，図２）
【特許文献２】
特開平１０−１１７１８３号公報（第２頁，第３頁，図１，図３）
【００１１】
【発明が解決しようとする課題】
前述の通信装置に於いては、冗長構成についての系切替えの高速化と、小型化及びコストダウンを図ることが要望されている。又加入者線の収容数の増加を図る為に、拡張性を有することが要望されている。しかし、前述の従来の通信装置は、少なくとも４種類のブロック対応のパッケージを搭載して構成することになり、スペースを多く必要とすると共に、多種類のパッケージ製作によるコストアップとなる問題がある。又監視制御部１１５については、冗長構成を適用すると、前述のように、冗長構成間の制御情報の送受信を行って、系切替えの制御を行うことになり、制御構成が複雑化すると共に、故障発生時等に於ける系切替えの高速が困難である問題があった。
【００１２】
本発明は、パッケージの種類を少なくしてコストダウンを図ると共に、監視制御部を含めて冗長構成とし、複雑化することなく、高速で系切替えを可能とし、且つサブラック対応に装置規模の拡張を容易とし、装置規模拡張によっても系切替えの高速化を図ることを目的とする。
【００１３】
【課題を解決するための手段】
本発明の冗長構成通信装置は、図１を参照して説明すると、複数の加入者線を収容する冗長構成の加入者線ＩＦ部３−０〜３−ｎと、局内ＩＦ部８とスイッチ部７とを含む主信号部４と、監視制御部５と、系切替えの制御を行う切替制御部とを含む通信装置に於いて、監視制御部５と切替制御部とを含む監視制御系と、局内ＩＦ部８とスイッチ部７とを含む主信号系とを１パッケージ化した共通部を有し、この共通部を０系と１系との冗長構成（２−１，２−２）とし、０系と１系との何れかの運用中の主信号系を含む共通部に於ける監視制御系の監視制御部は、運用中の主信号系の監視制御を行い、非運用中の主信号系を含む共通部に於ける監視制御系の切替制御部は、運用中の主信号系の切替要因発生により系切替えの制御を行う構成を有する。
【００１４】
０系と１系との共通部の主信号系を構成する局内ＩＦ部とスイッチ部との間をセレクタを介して交絡接続した構成を有し、切替制御部は、切替要因発生に従って系切替え又はセレクタ制御による交絡接続切替えを行う構成を有する。
【００１５】
又複数の加入者線を収容する冗長構成の加入者線ＩＦ部と、局内ＩＦ部とスイッチ部とを含む主信号部と、監視制御部と、系切替えの制御を行う切替制御部とを含む通信装置に於いて、監視制御部と切替制御部とを含む監視制御系と、局内ＩＦ部とスイッチ部とカスケードＩＦ部とを含む主信号系とを１パッケージ化した共通部を有し、この共通部を０系と１系との冗長構成としたサブラックの一つをマスタとなる基本サブラックとし、他をスレーブとなるカスケードサブラックとし、基本サブラックの０系及び１系に対して、カスケードサブラックの０系及び１系をそれぞれ相互にカスケードＩＦ部を介して接続し、０系と１系との何れかの運用中の系の共通部に於ける切替要因発生により、基本サブラックの非運用中の共通部の切替制御部から、カスケードサブラックの非運用中の共通部の切替制御部に通知して、基本サブラックとカスケードサブラックとの系切替えを行う構成を有する。
【００１６】
又サブラックを構成する０系と１系との共通部に、自系が運用中か非運用中かを示す自系運用状態情報と、自系がサービス中か非サービス中かを示す自系サービス状態情報と、自系が基本サブラックかカスケードサブラックかを示す自系サブラック状態情報と、基本サブラック時のカスケードサブラック番号を示す自系カスケード番号とを含む状態情報を格納する状態管理テーブルを設ける。又０系と１系との共通部は、動作状態を引き継ぐ為のバックアップデータを蓄積するバックアップメモリを有し、このバックアップメモリに、自系が０系か１系かを示す系識別データを格納した構成とすることができる。
【００１７】
本発明の系切替方法は、監視制御部と切替制御部とを含む監視制御系と、局内ＩＦ部とスイッチ部とを含む主信号系とを１パッケージ化した共通部を０系と１系との冗長構成とした冗長構成通信装置の前記０系と１系との何れか一方の運用中の主信号系に切替要因が発生した時に、前記０系と１系との何れか他方の非運用中の監視制御系の切替制御部により系切替えの制御を行う過程を含むものである。
【００１８】
又監視制御部と切替制御部とを含む監視制御系と、局内ＩＦ部とスイッチ部とカスケードＩＦ部とを含む主信号系とを１パッケージ化した共通部を、０系と１系との冗長構成としたサブラックの一つを基本サブラックとし、他をカスケードサブラックとし、前記基本サブラックの０系と１系とに対して、前記カスケードサブラックの０系と１系とを前記カスケードＩＦ部を介して接続した冗長構成通信装置の前記０系と１系との何れか一方の運用中の主信号系に切替要因が発生した時に、前記基本サブラックの０系と１系との何れか他方の非運用中の監視制御系の切替制御部に前記切替要因を通知し、該切替制御部から前記カスケードサブラックの非運用中の監視制御系の切替制御部に系切替えを通知して、前記基本サブラックと前記カスケードサブラックとを同一系とするように切替える過程を含むものである。
【００１９】
【発明の実施の形態】
図１は本発明の実施の形態の説明図であり、１は通信装置、２−１，２−２は共通部、３−０〜３−ｎは加入者線ＩＦ部、４は主信号部、５は監視制御部、６はクロック部、７はスイッチ部、８は局内ＩＦ部、９は拡張ＩＦ部を示す。
【００２０】
この実施の形態は、通信装置１を、加入者線ＩＦ部と共通部との２種類のブロックに分けて、それぞれの種類のパッケージを搭載して構成する。即ち、共通部パッケージと、加入者線ＩＦ部パッケージとを搭載して通信装置１を構成する。
又加入者線ＩＦ部は、加入者線ＩＦ部３−１〜３−ｎに対して、加入者線ＩＦ部３−０を予備として切替接続可能としたｎ：１の冗長構成、共通部２−１，２−２は１：１の冗長構成とした場合を示し、パッケージ種類が従来例に比較して少ないことにより、コストダウンを図ることができる。
【００２１】
又共通部２−１，２−２は、主信号部４と監視制御部５とクロック部６とを含む構成を図示しており、監視制御部５とクロック部６と図示を省略した切替制御部とを含む構成を監視制御系とすると、スイッチ部７と局内ＩＦ部８と拡張ＩＦ部９とを含む構成が主信号系となる。この場合、共通部２−１，２−２を冗長構成とするものであるから、監視制御部５もクロック部６と同様に冗長構成となる。この冗長構成の共通部２−１，２−２のそれぞれの監視制御部５は、主信号を処理する運用中の共通部に於いては、主信号部４の監視処理を行い、非運用中の共通部の監視制御部５は、必要最小限の処理のみを行うが、図示を省略した切替制御部は、運用中の主信号部４の故障等による切替要因発生により、系切替えの制御を行うものである。従って、監視処理と関係なく、系切替えの制御を行うことができるから、迅速に系切替えを行うことができる。
【００２２】
又０系と１系との共通部２−１，２−２間で相互に通信する情報は、例えば、図２に示すように、自系共通部実装情報と、自系共通部故障情報と、他系共通部への故障通知と、自系共通部運用情報と、自系共通部状態通知と、他系共通部リセット通知と、自系共通部割込通知とを含むものであり、それによって、相互間の状態を認識することができる。
【００２３】
又共通部２−１，２−２間は、例えば、図３に示すように、共通部２−１，２−２の局内ＩＦ部８に設けたセレクタ１１と、加入者線ＩＦ部３に設けたセレクタ１３とを用いて切替えることができる。即ち、セレクタ１３により、加入者線ＩＦ部３に対して、０系と１系との共通部２−１，２−２の運用中（ＡＣＴ）の側を切替接続し、又セレクタ１１により、自系と他系とのスイッチ部７の切替接続を行うことができる。
【００２４】
又０系と１系との共通部２−１，２−２は、ホットスタンバイ構成として迅速に系切替えを行うことを可能とする為に、例えば、図４に示すように、不揮発性メモリ１５を搭載し、プロセッサ１４（ＣＰＵ）等の制御によって、装置内設定データや装置内状態保持データ等について、その内容が更新される毎に、不揮発性メモリ１５に格納し、装置内動作の引継ぎを可能とする為の情報についてバックアップしておくものである。即ち、不揮発性メモリ１５は、バックアップメモリとして機能するものである。
【００２５】
図５は系切替処理の説明図であり、（Ａ）は従来の冗長構成の監視制御部による系切替処理を示し、（Ｂ）は本発明の実施の形態の系切替処理を示す。図５の（Ａ）に於いて、０系と１系との冗長構成の共通部２−１，２−２は、０系の共通部２−１を現用系（運用中）、１系の共通部２−２を予備系（非運用中）とした時、現用系（運用中）の共通部２−１の監視制御部は、外部の上位オペレーションシステムからの設定／制御のインタフェース部であるＯｐＳ−ＩＦ部と、局内ＩＦ部と、スイッチ部と、系切替えの制御を行う切替制御部とを一定の周期で監視している。即ち、太線で示す部分が運用中の状態となる。又この場合の監視制御部は、監視処理を優先するものである。従って、この監視処理中に、故障等による切替要因が発生すると、所定の監視処理後に切替処理に移行して切替制御部を制御し、共通部２−１から共通部２−２に切替える処理を行う。即ち、監視制御部を含む共通部を冗長構成としても、系切替要因発生により直ちに系切替えの処理に移行できないものである。
【００２６】
これに対して、図５の（Ｂ）に示す本発明の実施の形態に於いては、現用系（運用中）の共通部２−１の動作については、図５の（Ａ）に示す場合と類似しているが、この共通部２−１の切替制御部は、切替処理を行う状態となっていない。これに対して、予備系（非運用中）の共通部２−２に於ける監視制御部とＯｐＳ−ＩＦ部と局内ＩＦ部とスイッチ部とは、必要最小限の処理のみ行い、切替制御部は、太線で示すように、現用系（運用中）に相当した切替制御動作可能の状態となっている。そして、現用系（運用中）の主信号部に故障等の切替要因が発生すると、予備系（非運用中）の共通部２−２の切替制御部に通知する。それによって、共通部２−２の切替制御部は系切替処理を直ちに実行することができる。即ち、現用系（運用中）の切替要因発生により、予備系（非運用中）の監視制御部は、監視処理を行っていないので、切替制御部を制御して、高速に系切替処理を実行することができる。
【００２７】
図６は立上げ処理の説明図であり、（Ａ）は従来の処理の一例を示し、（Ｂ）は本発明の実施の形態を示す。図６の（Ａ）に於いては、０系と１系とを同時的に立上げた場合に、何れを現用系とするかを判断する必要があり、先ず、バックアップデータを参照して自系ＡＣＴ（Ａｃｔｉｖｅ；運用中）であるか否かを判定し（Ａ１）、自系ＡＣＴでない場合は、バックアップデータを参照して、他系ＳＢＹ（Ｓｔａｎｄ−　Ｂｙ；非運用中）であるか否かを判定し（Ａ２）、他系ＳＢＹでないと、自系ＳＢＹとして立上げる。
【００２８】
又バックアップデータを参照して自系ＡＣＴの場合は、他系ＡＣＴか否かを判定し（Ａ３）、他系ＡＣＴでない場合は、自系ＡＣＴとして立上げる。又他系ＡＣＴの場合は、バックアップデータについて自系のデータが新しいか否かを判定する（Ａ４）。そして、新しい方のバックアップデータを参照して前述のような処理を再度行うことになる。
【００２９】
一方、図６の（Ｂ）に示す本発明の実施の形態に於いては、０系と１系との両系同時的な立上げの場合、バックアップデータと共に、０系か否かの系識別データをバックアップメモリに予め設定しておき、このバックアップメモリに設定した系識別データを参照して、自系が０系か否かを判定し、自系が０系でない場合はＳＢＹ（予備系）立上げとし、自系が０系の場合はＡＣＴ（現用系）立上げとする。即ち、図６の（Ａ）に示す立上げ処理に比較して迅速に立上げることができる。
【００３０】
図７は共通部交絡接続の説明図であり、０系の共通部２−１と１系の共通部２−２とのスイッチ部７にセレクタ２１，２２を設けて、０系のスイッチ部７に対して、セレクタ２１を介して、０系の局内ＩＦ部８と１系の局内ＩＦ部８との何れかに切替接続し、１系のスイッチ部７に対して、セレクタ２２を介して、０系の局内ＩＦ部８と１系の局内ＩＦ部８との何れかに切替接続する交絡接続構成を示す。そして、局部ＩＦ部８とスイッチ部７との何れか一方又は両方の故障発生を切替要因発生として、交絡接続について切替接続する。なお、１０は外部の上位オペレーションシステムＯｐＳからの設定／制御の情報を受信するＯｐＳ−ＩＦ部を示す。又図３に示す交絡接続構成を適用することもできる。
【００３１】
図８は系切替構成の説明図であり、図７に示すように、共通部間で交絡接続した場合を示し、３０は上位オペレーションシステム（ＮＥ−ＯＰＳ）、３１は局側対向装置、３２０　，３２１　はそれぞれパッケージとした共通部、３３は加入者線ＩＦ部に対応する単一又は複数の加入者線パッケージ、３４０　，３４１　は主信号系、３５０　，３５１　は監視制御系、３６０　，３６１　は局内ＩＦ部、３７０　，３７１　は前述のスイッチ部とセレクタ等を含み、交絡接続を行う交絡部、３８０　，３８１　は加入者線パッケージインタフェース部、３９０　，３９１　は監視制御部、４００　，４０１　は切替制御部、４１０　，４１１　はバックアップメモリを示す。このバックアップメモリ４１０　，４１１　は、図４に於ける不揮発性メモリ１５に対応する。
【００３２】
局側対向装置３１と加入者線パッケージ３３との間の主信号は、太線経路の１系の共通部３２１　の局内ＩＦ部３６１　と、０系の共通部３２０　の交絡部３７０　と加入者線パッケージＩＦ部３８０　とを介した経路で伝送される。この場合、太線枠で示す各部が主として動作する運用中（ＡＣＴ）で、対応する他方の各部が非運用中（ＳＢＹ）となる。
【００３３】
例えば、０系の共通部３２０　の監視制御部３９０　が上位オペレーションシステム３０からの設定／制御に従って各部の監視制御を行うが、１系の共通部３２１　の監視制御部３９１　は、図５の（Ｂ）に示すように、必要最小限の動作を行っている。しかし、１系の切替制御部４０１　は、切替動作可能の状態であり、従って、０系の共通部３２０　等の故障等による切替要因発生により、１系の切替制御部４０１　は、太線矢印で示すように、主信号系３４０　，３４１　の各部を制御して、系切替えの制御を行うことができる。又局内ＩＦ部３６１　の故障等による切替要因発生時は、切替制御部４０１　の制御により、この局内ＩＦ部３６１　と、主信号系３４０　の局内ＩＦ部３６０　とを切替え、且つ局内ＩＦ部３６０　と交絡部３７０　との交絡接続切替えを行うことになる。
【００３４】
図９は切替要因による系切替処理の説明図であり、前述の交絡部等による共通部間の交絡接続を有する冗長構成の場合を示し、（Ａ）〜（Ｄ）に於ける太線枠の構成が運用中（ＡＣＴ）、細線枠の構成が非運用中（ＳＢＹ）の場合を示す。
又太線矢印は切替要因▲１▼〜▲４▼に対応して切替える方向を示す。又▲１▼は監視制御部とスイッチ部と他の各部の故障時の切替要因、▲２▼は伝送路故障又は局内ＩＦ部故障の切替要因、▲３▼は強制切替コマンド実行時の切替要因、▲４▼はパッケージ交換時の切替要因を示す。
【００３５】
例えば、図９の（Ａ）は、０系の共通部が運用中（ＡＣＴ）、１系の共通部が非運用中（ＳＢＹ）の場合であり、１系の局内ＩＦ部の故障又はこの局内ＩＦ部に接続した伝送路の故障が発生すると、切替要因▲２▼に相当するから、例えば、図８の交絡部３７１　を制御して、図９の（Ｂ）に示すように、０系の共通部の監視制御部とスイッチ部とを含む構成と、１系の共通部の局内ＩＦ部とを運用中（ＡＣＴ）とし、故障発生の局内ＩＦ部を切り離して、非運用中（ＳＢＹ）とする。
即ち、１系の共通部の局内ＩＦ部と、０系の共通部の監視制御部やスイッチ部を含む構成とを交絡接続により運用中（ＡＣＴ）とすることができる。又この状態に於いて、１系の共通部のパッケージを交換する時は、切替要因▲４▼に相当するから、図９の（Ａ）の状態に戻ることになる。
【００３６】
又図９の（Ａ）の状態に於いて、０系の監視制御部，スイッチ部等の故障時の切替要因▲１▼又は強制切替コマンドによる切替要因▲３▼により、図９の（Ｃ）に示すように、０系の局内ＩＦ部と、１系の監視制御部等とを運用中（ＡＣＴ）に切替える。この状態で、１系の監視制御部等の故障による切替要因▲１▼又は強制切替コマンドによる切替要因▲３▼又はパッケージ交換による切替要因▲４▼の場合、図９の（Ａ）に示す状態に戻ることになる。
【００３７】
又図９の（Ａ）の状態に於いて、パッケージ交換による切替要因▲４▼の場合、図９の（Ｄ）の状態に切替えることになる。この図９の（Ｄ）の状態と、図９の（Ｃ）の状態とは、切替要因▲２▼に従って切替えが行われる。又図９の（Ｃ）の状態に於いて０系のパッケージ交換による切替要因▲４▼により、図９の（Ｄ）の状態に切替える。又図９の（Ｄ）の状態に於いて、切替要因▲１▼，▲３▼により図９の（Ｂ）の状態に切替え、又図９の（Ｂ）の状態に於いて、切替要因▲１▼，▲３▼，▲４▼により、図９の（Ｄ）の状態に切替える。従って、０系と１系との交絡接続を切替要因に従って切替えて、４通りの構成で主信号処理を継続することができる。
【００３８】
図１０は本発明の実施の形態のカスケード接続構成の説明図であり、サブラック対応に増設を可能とし、且つ冗長構成の系切替えを高速に実行できる実施の形態を示す。同図に於いて、５０は基本サブラック、５１，５２は増設したカスケードサブラック、５３０　，５３１　，５４０　，５４１　，５５０　，５５１　は０系と１系との共通部、５６０　，５６１　は局内ＩＦ部、５７０　，５７１　，５８０　，５８１　，５９０　，５９１　，６００　，６０１　はカスケードＩＦ部、６１０　，６１１　，６２０　，６２１　，６３０　，６３１　は切替制御部を示す。
【００３９】
この実施の形態は、スイッチ部等を含む主信号系と、監視制御部や切替制御部を含む監視制御系とからなる共通部をパッケージ化し、その共通部を０系と１系とした冗長構成をサブラックとし、一つをマスタとしての基本サブラック、他をスレーブとしてのカスケードサブラックとし、サブラック単位で増設することを可能としたものである。なお、共通部５３０　，５３１　，５４０　，５４１　，５５０　，５５１　は、一部図示を省略しているが、監視制御系と主信号系とを含む同一構成とすることができる。
【００４０】
又基本サブラック５０に対して、カスケードサブラック５１，５２を、それぞれ０系と１系とに対応してカスケードＩＦ部を介して接続する。又基本サブラック５０の０系，１系の共通部５３０　，５３１　の局内ＩＦ部５６０　，５６１　を介して図示を省略している局側対向装置と光伝送路等により接続し、各サブラックに於ける０系と１系との共通部には、冗長構成の加入者線ＩＦ部（図示を省略）を接続するものである。この冗長構成の加入者線ＩＦ部を構成するパッケージを、各サブラックとして搭載する構成とすることも可能である。
【００４１】
又基本サブラック５０の共通部５３０　，５３１　の局内ＩＦ部５６０　，５６１　を介して局側対向装置とそれぞれ０系と１系との光伝送路等により接続する。又基本サブラック５０の共通部５３０　，５３１　とカスケードサブラック５１の共通部５４０　，５４１　との間を、カスケードＩＦ部５７０　，５７１　，５９０　，５９１　を介して接続し、又基本サブラック５０の共通部５３０　，５３１　とカスケードサブラック５２の共通部５５０　，５５１　との間をカスケードＩＦ部５８０　，５８１　，６００　，６０１　を介して接続した構成とし、基本サブラック５０の共通部５３０　の切替制御部６１０　に対して、カスケードサブラック５１，５２の共通部５４０　，５５０　の切替制御部６２０　，６３０　を通信可能に接続し、同様に、共通部５３１　の切替制御部６１１　に対して、共通部５４１　，５５１　の切替制御部６２１　，６３１　を通信可能に接続した構成とする。
【００４２】
０系を主信号を処理する運用中（ＡＣＴ）とすると、太線で示すように、局内ＩＦ部５６０　と、カスケードＩＦ部５７０　〜６００　とが主信号系として動作状態となり、０系の監視制御部（図示を省略）が主信号系の監視処理を行う。又１系の切替制御部６１１　〜６３１　は、太線枠で示すように、切替制御動作可能の状態となり、０系の切替制御部６１０　〜６３０　は、切替制御動作を行わない状態となる。そして、運用中（ＡＣＴ）の共通部の障害発生時は、基本サブラック５０の１系の切替制御部６１１　からカスケードサブラック５１，５２の１系の切替制御部６２１　，６３１　に通知して、０系から１系への系切替えを高速で実行させる。
この系切替えの後は、１系の局内ＩＦ部５６１　と、カスケードＩＦ部５７１　〜６０１　とが主信号系として動作状態となる。
【００４３】
複数の加入者線とネットワーク側との間の主信号を処理する為に、単一のサブラック構成か複数のサブラックをカスケード接続した構成かを識別できるようにして運用するものであり、例えば、図１１に示すように、通信装置１，２，３のような登録内容とする。又この登録内容の単独運用、基本サブラック、カスケードサブラックの定義を図１２に示す。例えば、単独運用が登録されたサブラックは、図１又は図８に示すような０系と１系との共通部を有する構成として運用することになる。又基本サブラックが登録されたサブラックは、図１０に於ける基本サブラック５０として運用し、又カスケードサブラックが登録されたサブラックは、図１０に於けるカスケードサブラック５１，５２として運用することになる。又基本サブラックはシステム内のマスタとして動作するものであり、カスケードサブラックは、マスタとしての基本サブラックに対して、スレーブとして動作する。
【００４４】
図１３はサブラック間通信の説明図であり、例えば、図１０に示す基本サブラック５０とカスケードサブラック５１との間について示し、０系と１系との共通部５３０　，５３１　，５４０　，５４１　との間で、０系と１系との運用状態又は故障状態について通知できる構成とし、相手側からの状態情報は、０系と１系との両方のポートにより受信してレジスタ等の保持手段又は状態管理テーブルにより保持し、又状態情報を送信する時は、選択されたポートから相手側へ送信する。なお、運用状態の“１”は運用中（ＡＣＴ）、“０”は非運用中（ＳＢＹ）とし、故障状態は、“０”を正常状態又は実装状態、“１”を故障状態又は未実装状態とすることができる。
【００４５】
図１４は運用時の状態情報の説明図であり、０系が運用状態“１”、１系が非運用中“０”で、０系，１系共に正常状態“０”であることを示している。例えば、カスケードサブラック５１の共通部５４０　に故障が発生した場合、図１５に示す経路で故障状態情報が通知される。同図に於いて、６５，６６は監視制御系の切替制御部を構成するプロセッサ（ＣＰＵ）を示す。即ち、カスケードサブラック５１の運用中の共通部の故障発生を非運用中の共通部の切替制御部を構成するプロセッサ（ＣＰＵ）に通知し、このプロセッサ（ＣＰＵ）の制御により、基本サブラック５０の０系と１系とに通知する。
【００４６】
前述のように、カスケードサブラック５１の運用中（ＡＣＴ）の０系の共通部５４０　に故障が発生すると、非運用中（ＳＢＹ）の１系の共通部５４１　のプロセッサ６６に割込みを行い、このプロセッサ６６の割込処理により、０系故障状態を示す“１”を設定し、基本サブラック５０の０系と１系とに通知する。この場合、この故障状態情報を受信した基本サブラック５０に於いては、０系と１系との両系で受信して、カスケードサブラック５１の０系故障状態の“１”を保持する。そして、非運用中（ＳＢＹ）の１系の共通部５３１　の監視制御系のプロセッサ６５に割込みを行うと、このプロセッサ６５は、０系から１系への系切替制御を実行する。即ち、前述の切替制御部により系切替制御を行うことになる。
【００４７】
図１６は運用状態変化時の説明図であり、０系を“１”（運用中）とし、１系を“０”（非運用中）とした運用状態情報を、各共通部５３０　，５３１　，５４０　，５４１　のレジスタ等の保持手段又は状態管理テーブルに保持している状態に於いて、監視制御系のプロセッサ６５から系切替えに伴って、運用状態情報を、０系を“０”（非運用中）、１系を“１”（運用中）に設定すると、カスケードサブラック５１の０系と１系との共通部５４０　，５４１　のそれぞれのポートに通知される。この運用状態情報を、共通部５４０　，５４１　のそれぞれのレジスタ等の保持手段又は状態管理テーブルに保持し、共通部５４１　の監視制御系のプロセッサ６６に割込みを行う。それにより、プロセッサ６６は、共通部５４０　，５４１　のセレクタを切替制御して、基本サブラック５０側と同一の１系の共通部５４１　を運用中となるように切替える。
【００４８】
図１７は状態管理テーブルの説明図であり、基本サブラックの０系と、カスケードサブラックの０系とについて示すものであるが、それぞれの１系に於いても同様な構成の状態管理テーブルを設けるものであり、各系の監視制御系に設けるものである。そして、それぞれ自系と他系との各種の状態情報を設定している。
この状態管理テーブルは、電源投入や共通部リセット等の要因による立上げ時、共通部の故障やパッケージ抜取り等による系切替時、上位オペレーションシステム等の保守装置側からの切替コマンド等の要因による切替時等に於いて、自系と他系との状態を判定する為に参照される。状態情報は例えば監視制御部の制御によって更新する構成とすることができる。
【００４９】
例えば、自系運用状態と他系運用状態との運用状態情報（運用中／非運用中（ＡＣＴ／ＳＢＹ）（現用系／予備系））と、自系サービス状態と他系サービス状態とのサービス状態情報（サービス中／非サービス中（ＩＮＳ；Ｉｎ　Ｓｅｒｖｉｃｅ／ＯＵＳ；Ｏｕｔ　ｏｆ　Ｓｅｒｖｉｃｅ）と、自系局内ＩＦ部運用状態と他系局内ＩＦ運用状態との局内ＩＦ運用状態情報（運用中／非運用中（ＡＣＴ／ＳＢＹ））と、自系故障状態と他系故障状態との故障状態情報（正常／異常）と、自盤故障状態と他盤故障状態との故障状態情報（正常／異常）と、自系立上状態と他系立上状態の立上状態情報（立上済／未立上）と、自系共通部実装状態と他系共通部実装状態との実装状態情報（実装／未実装）と、自系系情報と他系系情報との系情報（０系／１系）と、自系サブラック状態と他系サブラック状態とのサブラック状態情報（基本／カスケード）と、自系カスケード番号と他系カスケード番号とについて、カスケード接続に使用した拡張ＩＦ部の番号を用いたカスケード番号情報（Ｎｏ．）と、クロック入力がクロック供給装置からの供給か、又は基本サブラックからの供給かを示す自系ＣＬＫ入力情報（供給装置／基本）と、自系の共通部のクロック部からカスケードサブラックに対してクロック供給を行っているか否かを示す自系ＣＬＫ出力情報とを含むものである。なお、更に他の状態情報を含めて設定することも可能である。
【００５０】
図１７に於いては、基本サブラックの０系とカスケードサブラックの０系との共通部は、自系運用状態情報をＡＣＴとし、運用中（ＡＣＴ）の状態であることを示し、又１系（他系）の共通部は、他系運用状態情報をＳＢＹとして、非運用中（ＳＢＹ）の状態であることを示し、又基本サブラックの０系の局内ＩＦ部は、自系局内ＩＦ部運用状態情報をＡＣＴとし、カスケードサブラックの０系は、局内ＩＦ部に対する接続を行っていないので、何も格納されていない。又１系の局内ＩＦ部は、他系局内ＩＦ部運用状態情報をＳＢＹとして、非運用中（ＳＢＹ）であることを示している。又０系（自系）のカスケード番号を１，３とし、同様に、１系（他系）のカスケード番号を１，３として、図１０に示すように、基本サブラック５０に対して、カスケードサブラック５１，５２を接続した状態を示す。
【００５１】
図１８，図１９は基本サブラック共通部故障時のフローチャートを示し、基本サブラックＡＣＴ（運用）系故障発生により（Ｃ１）、基本（以下、識別可能の場合に「サブラック」を省略する）０系に切替要因が発生して、基本両系切替制御部が基本切替要因発生を通知する（Ｃ２）。なお、０系共通部の抜取り又はリセット操作時も切替要因の発生となる。
【００５２】
この切替要因発生通知に従って、基本１系の状態管理テーブルを参照して、自系サービス状態情報がサービス中（ＩＮＳ）か否かを判定し（Ｃ３）、サービス中（ＩＮＳ）の場合は、ステップ（Ｃ４）の中のステップ（Ｃ５）に移行し、非サービス中（ＯＵＳ）の場合はステップ（Ｃ８）に移行する。ステップ（Ｃ４）はステップ（Ｃ５）〜（Ｃ７）を含み、ステップ（Ｃ５）に於いては、基本０系が動作可能か否かを判定し、動作可能の場合は、基本０系の状態管理テーブルを、自系サービス状態→ＯＵＳ、自系故障状態→異常、自盤故障状態→異常として示すように、自系サービス状態情報情報を非サービス中（ＯＵＳ）に変更し、自系故障状態情報を異常に変更し、自盤故障状態情報を異常に変更する（Ｃ６）。
又基本０系が動作不可能の場合は、基本１系の状態管理テーブルを、他系サービス状態→ＯＵＳ、他系故障状態→異常、他盤故障状態→異常として示すように、他系サービス状態情報を非サービス中（ＯＵＳ）に変更し、他系故障状態情報を異常に変更し、他盤故障状態情報を異常に変更する（Ｃ７）。
【００５３】
又ステップ（Ｃ３）に於いて、非サービス中（ＯＵＳ）と判定した場合は、故障共通部のランプ制御により故障発生を表示し（Ｃ８）、ステップ（Ｃ４）の処理と同様の状態管理テーブルの設定処理を行って（Ｃ９）、終了とする。即ち、１系の故障や未実装の場合は、状態管理テーブルの更新処理のみ行う。なお、ランプ制御は、正常／異常やＡＣＴ／ＳＢＹ等についての各部の状態をランプの点灯等により制御することを示す。
【００５４】
又自系サービス中（ＩＮＳ）の場合のステップ（Ｃ４）の処理後、基本１系切替制御部が上位オペレーションシステムＯｐＳに対して基本０系とのリンク断を要求する（Ｃ１０）。なお、パッケージの抜取りの場合は、リンク断要求の処理は行わない。そして、上位オペレーションシステムＯｐＳからのリンク断応答を受信すると、基本０系とのリンク断とし（Ｃ１１）、両系スイッチ部の切替えとランプ制御を行う（Ｃ１２）。そして、両系スイッチ部の切替えとランプ制御とを行う（Ｃ１３）。
【００５５】
そして、基本１系の状態管理テーブルを、自系運用状態→ＡＣＴ、他系運用状態→ＳＢＹとして示すように、自系運用状態情報を運用中（ＡＣＴ）に変更し、他系運用中情報を非運用中（ＳＢＹ）に変更し、両系カスケード接続先へ共通部切替指示を送信し、又ランプ制御を行う（Ｃ１３）。そして、カスケードサブラック処理開始（Ｃ１９）と、自サブラック配下の加入者線ＩＦ部切替えとランプ制御とを行う（Ｃ１４）。そして、基本１系の状態管理テーブルを参照して、自系局内ＩＦ部運用状態情報が非運用中（ＳＢＹ）か否かを判定し（Ｃ１５）、ＳＢＹの場合は、局内ＩＦ部の切替えと、状態管理テーブルの更新とを行う。状態管理テーブルは、１系局内ＩＦ部運用状態→ＡＣＴ、０系局内ＩＦ部運用状態→ＳＢＹとして示すように、１系局内ＩＦ部運用状態情報を運用中（ＡＣＴ）に更新し、０系局内ＩＦ部運用状態情報を非運用中（ＳＢＹ）に更新して（Ｃ１６）、次のステップ（Ｃ１７）に移行する。又ステップ（Ｃ１５）に於いて運用中（ＡＣＴ）と判定した場合は、ステップ（Ｃ１７）に移行する。
【００５６】
ステップ（Ｃ１７）に於いては、基本０系切替制御部が基本１系とのリンク要求を上位オペレーションシステムＯｐＳへ要求し、それによる上位オペレーションシステムＯｐＳからのリンク応答を受信して、基本１系とのリンクを設定して（Ｃ１８）、終了する。
【００５７】
図２０はカスケードサブラック処理のフローチャートを示し、基本サブラックＡＣＴ系故障発生によるカスケードサブラックの動作に於いて、基本１系からの共通部切替指示を受信したか否かを判定し（Ｄ１）、受信すると、ステップ（Ｄ２）に移行する。このカスケードサブラック切替処理は、図１９のステップ（Ｃ１９）のカスケードサブラック処理開始に基づいた処理に相当し、カスケード１系の状態管理テーブルを参照し、自系サービス状態情報がサービス中（ＩＮＳ）か否かを判定し（Ｄ３）、非サービス中（ＯＵＳ）の場合は、共通部のランプ制御を行い（Ｄ１０）、カスケード０系の状態管理テーブルを、自系サービス状態→ＯＵＳとして示すように、自系サービス状態情報を非サービス中（ＯＵＳ）に更新して（Ｄ１１）、終了とする。
【００５８】
又ステップ（Ｄ３）の判定結果、自系サービス状態情報がサービス中（ＩＮＳ）の場合、カスケード１系切替制御部が上位オペレーションシステムＯｐＳへカスケード０系とのリンク断を要求し（Ｄ４）、上位オペレーションシステムＯｐＳからのリンク断応答を受信すると、カスケード０系とのリンクを断とする（Ｄ５）。そして、カスケード１系の状態管理テーブルを、自系運用状態→ＡＣＴ、他系運用状態→ＳＢＹとして示すように、自系運用状態情報を運用中（ＡＣＴ）に、他系運用状態情報を非運用中（ＳＢＹ）に更新して、ランプ制御を行う（Ｄ６）。次に、自サブラック配下の加入者線ＩＦ部の切替えとランプ制御とを行い（Ｄ７）、カスケード０系切替制御部から上位オペレーションシステムＯｐＳへカスケード１系とのリンク要求を行い（Ｄ８）、これに対するリンク応答を受信してカスケード１系とのリンクを設定して（Ｄ９）、終了とする。
【００５９】
図２１，図２２，図２３は基本サブラック切替要因発生時の説明図であり、図１０と同一符号は同一部分を示し、７００　，７０１　，７４０　，７４１　，７７０　，７７１　はスイッチ部、７１０　，７１１　，７５０　，７５１　，７８０　，７８１　は監視制御部、７２０　，７２１　は局内ＩＦ部、７３０　，７３１　，７６０　，７６１　，７９０　，７９１　はＯｐＳ−ＩＦ部を示す。
【００６０】
図２１に於ける太線の枠内が運用中（ＡＣＴ）として動作している場合に於いて、即ち、０系の共通部５３０　，５４０　，５５０　が運用中（ＡＣＴ）で、非運用中（ＳＢＹ）の１系の共通部５３１　，５４１　，５５１　の切替制御部６１１　，６２１　，６３１　のみが動作中の状態に於いて、基本サブラック５０に切替要因が発生した場合、図２１，図２２，図２３に於ける括弧内数字の順序及び経路で、次の括弧内数字で示す動作が行われる。
【００６１】
（１）．基本サブラック５０の０系の共通部５３０　に故障発生、共通部パッケージ抜取り、リセット等の切替要因が発生すると、この切替要因を、０系と１系との切替制御部６１０　，６１１　に通知し、切替制御部６１０　，６１１　はこれを検出する。なお、０系の共通部５３０　のパッケージを抜取った場合は、１系の切替制御部６１１　が切替要因を検出することになる。
（２）．基本サブラック５０の１系のサービス状態を、例えば、図１７に示すような設定内容の状態管理テーブル（この状態管理テーブルは、共通部の監視制御系に設けることができるものであるが、図示を省略）を参照し、切替可能か否かを調べる。非サービス中（ＯＵＳ）の場合は、ランプ制御と状態管理テーブルの更新のみを行う。
【００６２】
（３）．基本サブラック５０の０系と１系との切替制御部６１０　，６１１　は、切替要因を含む各種の要因の発生により、状態管理テーブルを更新し、ランプ制御を行う。そして、基本サブラック５０の０系に対応する状態管理テーブルの内容が更新されると、基本サブラック５０の１系の状態管理テーブルの他系対応の内容が更新される。この場合、基本サブラック５０の０系の動作が不可能時又はパッケージ抜取りの場合は、基本サブラック５０の１系の切替制御部６１１　が状態管理テーブルの他系対応の内容を設定することにより、他系の動作不可能時も、正常に切替処理を実行させることができる。
（４）．基本サブラック５０の１系の切替制御部６１１　は、上位オペレーションシステムＯｐＳに対して、基本サブラック５０の０系とのリンク断要求を、ＯｐＳ−ＩＦ部７３０　を介して送信する。なお、０系の共通部５３０　のパッケージ抜取りの場合は、この処理は省略する。
【００６３】
（５）．そして、上位オペレーションシステムＯｐＳからのリンク断応答を受信すると、０系とのリンク断を行う。
（６）．そして、１系，０系の順にスイッチ部７０１　，７００　を切替え、又ランプ制御を行う。以上は図２１に於ける処理を示す。
【００６４】
（７）．基本サブラック５０の０系の切替制御部６１０　は、１系の運用状態を運用中（ＡＣＴ）、０系の運用状態を非運用中（ＳＢＹ）に、状態管理テーブルを更新し、カスケード接続先に対して、共通部切替えの指示を送信する。即ち、基本サブラック５０の共通部５３１　を太線で示すように運用中（ＡＣＴ）として、カスケード接続先に指示する。
（８）．又基本サブラック５０の図示を省略した加入者線ＩＦ部に対して、例えば、図３に示すセレクタ１３等を制御して、０系と１系との共通部との接続を切替えて、ランプ制御を行う。
【００６５】
（９）．基本サブラック５０の１系の状態管理テーブルの自系局内ＩＦ運用状態情報が非運用中（ＳＢＹ）の場合に限り、局内ＩＦ部の切替えをＡＰＳ（Ａｕｔｏｍａｔｉｃ　Ｐｒｏｔｅｃｔｉｏｎ　Ｓｗｉｔｃｈ）規定に従って実行し、切替処理実行時は、局内ＩＦ部運用状態情報を更新し、ランプ制御を行う（基本サブラックについてのみ）。即ち、必要な時のみ、局内ＩＦ部を切替えることにより、装置内部の故障が外部に与える影響を抑制することができる。
【００６６】
（１０）．カスケードサブラックの切替処理の進行に関係なく、基本サブラック５０の０系の切替制御部６１０　は、上位オペレーションシステムＯｐＳに対して基本サブラック５０の１系とのリンク要求を行う。
（１１）．上位オペレーションシステムＯｐＳからのリンク応答により、基本サブラック５０の１系とのリンクを行い、切替制御部６１０　が切替制御可能の状態へ迅速に遷移させることができる。
【００６７】
カスケードサブラック５１，５２に於いては、図２２，図２３に示すように、次の（７），（９）〜（１５）の処理を行う。即ち、
（７）．カスケードサブラック５１，５２の０系，１系の切替制御部６２０　，６２１　，６３０　，６３１　は、基本サブラック５０の１系の共通部５３１　からの共通部切替指示を受信する。
（９）．カスケードサブラック５１，５２の１系のサービス状態を参照して、切替動作が可能か否かを調べる。非サービス状態（ＯＵＳ）の場合は、カスケードサブラック５１，５２の０系のランプ制御と状態管理テーブルの更新のみを行う。
【００６８】
（１０）．カスケードサブラック５１，５２の１系の切替制御部６２１　，６３１　は、上位オペレーションシステムＯｐＳに対してカスケードサブラック５１，５２の０系とのリンク断要求を、ＯｐＳ−ＩＦ部７６０　，７９０　を介して送出する。
（１１）．リンク断要求に対するリンク断応答を受信すると、０系とリンク断とする。
【００６９】
（１２）．カスケードサブラック５１，５２の１系の切替制御部６２１　，６３１　は、自系の運用状態情報をＡＣＴ、他系の運用状態情報をＳＢＹとなるように状態管理テーブルを更新して、ランプ制御を行う。
（１３）．自サブラック配下の加入者線ＩＦを、前述の（８）の処理と同様にして切替えて、ランプ制御を行う。
【００７０】
（１４）．カスケードサブラック５１，５２の０系の切替制御部６２０　，６３０　は、図２３に示すように、上位オペレーションシステムＯｐＳに対して、ＯｐＳ−ＩＦ部７６１　，７９１　を介してカスケードサブラック５１，５２の１系とのリンク要求を送出する。
（１５）．このリンク要求に対するリンク応答を受信して、カスケードサブラック５１，５２の１系とリンクする。
【００７１】
前述のように、非運用中（ＳＢＹ）側の切替制御部は、図１０に示すように、相互に通信を行う状態であり、例えば、基本サブラック５０の０系の切替要因発生により、非運用中（ＳＢＹ）側の切替制御部６１１　の制御処理によって、１系に切替えると共に、カスケードサブラック５１，５２に於いても、０系から１系に切替えて、基本サブラック５０の１系に対して、カスケードサブラック５１，５２の１系をカスケード接続して運用中（ＡＣＴ）とする。又この状態で、基本サブラック５０の１系の切替要因発生により、基本サブラック５０の０系とカスケードサブラックの０系とを運用中（ＡＣＴ）となるように切替える。
【００７２】
図２４〜図２７はカスケードサブラック共通部故障時のフローチャートを示し、図２４，図２５は基本サブラック側の動作、図２６，図２７はカスケードサブラック側の動作を示す。０系を運用中（ＡＣＴ）としている状態に於いて、カスケードサブラックの運用中（ＡＣＴ）の故障発生により、基本サブラックの０系と１系とは、カスケードサブラックの１系より切替通知を受信する（Ｅ１）。以下混同を生じない範囲で「サブラック」を省略する。
【００７３】
基本１系の状態管理テーブルを参照し、自系がサービス中（ＩＮＳ）か否かを判定し（Ｅ２）、非サービス中（ＯＵＳ）の場合は処理を終了する（完了）。又サービス中（ＩＮＳ）の場合は、基本１系の状態管理テーブルを参照して、自系カスケード番号と他系カスケード番号とか同一か否かを判定する（Ｅ３）。異なる場合は処理を終了する。又同一の場合は、基本１系の状態管理テーブルに、自系故障状態が正常として設定されているか否かを判定する（Ｅ４）。
【００７４】
この判定に於いて、異常の場合は処理を終了し、正常の場合は、基本１系の切替制御部６１１　（図２１参照）が、上位オペレーションシステムＯｐＳに基本０系とのリンク断要求を送出する（Ｅ５）。そして、上位オペレーションシステムＯｐＳからのリンク断応答を受信すると、基本０系とのリンク断とする（Ｅ６）。
【００７５】
そして、０系，１系とのスイッチ部７００　，７０１　の切替えとランプ制御とを行う（Ｅ７）。次に、基本１系の状態管理テーブルを、自系運用状態→ＡＣＴ、他系運用状態→ＳＢＹとして示すように、自系運用状態情報を運用中（ＡＣＴ）、他系運用状態情報を非運用中（ＳＢＹ）に更新し、０系と１系とのカスケード接続先へ共通部切替指示を送信し、ランプ制御を行う（Ｅ８）。そして、カスケードサブラックの処理を開始し（Ｅ１４）、又自サブラック配下の加入者線ＩＦ部の切替えとランプ制御とを行い（Ｅ９）、基本１系の状態管理テーブルを参照し、自系局内ＩＦ部の運用状態情報が非運用中（ＳＢＹ）か否かを判定する（Ｅ１０）。
【００７６】
非運用中（ＳＢＹ）の場合は、局内ＩＦ部の切替えと、状態管理テーブルの更新とを行うもので、１系局内ＩＦ部運用状態→ＡＣＴ、０系局内ＩＦ部運用状態→ＳＢＹとして示すように、状態管理テーブルの１系局内ＩＦ部の運用状態情報を運用中（ＡＣＴ）に、０系局内ＩＦ部の運用状態情報を非運用中（ＳＢＹ）にそれぞれ更新して（Ｅ１１）、次のステップ（Ｅ１２）に移行する。又ステップ（Ｅ１０）に於いて運用中（ＡＣＴ）と判定した場合は、ステップ（Ｅ１２）に移行する。このステップ（Ｅ１２）に於いては、基本０系の切替制御部６１０　が基本１系とのリンク要求を上位オペレーションシステムＯｐＳへ送出する。そして、このリンク要求に対するリンク応答を受信すると、基本１系とのリンクを形成する（Ｅ１３）。
【００７７】
カスケードサブラック側は、図２６，図２７に示すような処理を行うもので、カスケード０系に切替要因が発生すると、カスケード両系の切替制御部、例えば、図２１に於けるカスケードサブラック５１の共通部５４０　に故障が発生すると、両系の切替制御部６２０　，６２１　に対する切替要因通知を検出する（Ｆ１）。
そして、カスケード１系の状態管理テーブルを参照して自系サービス状態情報がサービス中（ＩＮＳ）か否かを判定する（Ｆ２）。
【００７８】
非サービス中（ＯＵＳ）の場合は、故障発生の共通部を示すランプ制御を行い（Ｆ３）、又サービス中（ＩＮＳ）の場合は、カスケード０系が動作可能か否かを判定し（Ｆ４）、動作不可能の場合は、カスケード１系の状態管理テーブルを、他系サービス状態→ＯＵＳ、他盤故障状態→異常として示すように、他系サービス状態情報を非サービス中（ＯＵＳ）に、又他盤故障状態情報を異常にそれぞれ更新する（Ｆ６）。又動作可能の場合は、カスケード０系の状態管理テーブルを、自系サービス状態→ＯＵＳ、自盤故障状態→異常として示すように、自系サービス状態情報を非サービス中（ＯＵＳ）に、自盤故障状態情報を異常にそれぞれ更新する（Ｆ５）。
【００７９】
そして、基本サブラックへ切替通知を行い（Ｆ７）、基本切替処理待ちタイマを起動し、そのタイマのタイムアウトか否かを判定し（Ｆ８）、タイムアウトの場合は処理を終了し、タイムアウトでない場合は、基本１系より共通部切替指示を受信したか否かを判定し（Ｆ９）、受信していない場合は、ステップ（Ｆ８）に移行する。又受信した場合は、カスケード１系の状態管理テーブルの自系サービス状態情報がサービス中（ＩＮＳ）か否かを判定し（Ｆ１０）、非サービス中（ＯＵＳ）の場合は、処理を終了し、サービス中（ＩＮＳ）の場合は、カスケード１系の切替制御部から、上位オペレーションシステムＯｐＳへカスケード０系とのリンク断要求を送出する（Ｆ１１）。
【００８０】
このリンク断要求に対するリンク断応答を受信すると、カスケード０系とのリンク断とし（Ｆ１２）、カスケード１系の状態管理テーブルを、自系運用状態→ＡＣＴ、他系運用状態→ＳＢＹとして示すように、自系運用状態情報を運用中（ＡＣＴ）に、他系運用状態情報を非運用中（ＳＢＹ）にそれぞれ更新し、ランプ制御を行う（Ｆ１３）。そして、自サブラック配下の加入者線ＩＦ部の切替えとランプ制御とを行い（Ｆ１４）、カスケード０系の切替制御部から上位オペレーションシステムＯｐＳへカスケード１系とのリンク要求を行い（Ｆ１５）、このリンク要求に対するリンク応答を受信すると、基本１系とのリンクを形成する（Ｆ１６）。
【００８１】
図２８，図２９，図３０はカスケードサブラック切替要因発生時の説明図であり、図２１と同一符号は同一部分を示す。図２８に於ける太線の枠内が運用中（ＡＣＴ）として動作している状態に於いて、即ち、０系の共通部５３０　，５４０　，５５０　が運用中（ＡＣＴ）で、非運用中（ＳＢＹ）の１系の共通部５３１　，５４１　，５５１　の切替制御部６１１　，６２１　，６３３　が切替制御動作可能状態に於いて、カスケードサブラック５１に切替要因が発生した場合に、図２８，図２９，図３０に於ける括弧内数字の順序及び経路で、次の括弧内数字で示す基本サブラック側動作とカスケードサブラック側動作とが行われる。
【００８２】
基本サブラック側動作
（４）．基本０系，１系は、カスケード０系に於ける切替要因の発生により、カスケード１系の切替制御部６２１　から、図２８に示すように、切替要因発生通知を受信する。
（５）．状態管理テーブルを参照して切替可能か否かを判定する。基本１系のサービス状態が非運用中（ＯＵＳ）の場合は、切替処理を実行しない。即ち、基本サブラックの状態を最優先して判断することにより、系の不統一を防止することができる。又カスケード接続されている両系の共通部の数が異なる時、又は他系故障状態情報が異常の時も、同様の処理を行う。
【００８３】
（６）．基本１系の切替制御部６１１　は、基本０系のＯｐＳ−ＩＦ部７３０　を介して上位オペレーションシステムＯｐＳに対して基本０系とのリンク断要求を送信する。
（７）．上位オペレーションシステムＯｐＳからのリンク断応答を、基本０系のＯｐＳ−ＩＦ部７３０　を介して、基本１系の切替制御部６１１　が受信すると、基本０系とリンク断とする。
【００８４】
（８）．次に、図２９に示すように、基本１系の切替制御部６１１　は、両系のスイッチ部７００　，７０１　を１系，０系の順に切替えて、ランプ制御を行う。
（９）．基本０系の切替制御部６１０　は、自系の運用状態情報を運用中（ＡＣＴ）、他系の運用状態情報を非運用中（ＳＢＹ）にそれぞれなるように、状態管理テーブルに設定して、両系のカスケード接続先に対して共通部切替指示を送信する。又ランプ制御を行う。
【００８５】
（１０）．自サブラック配下の加入者線ＩＦ部を切替え、ランプ制御を行う。
（１１）．基本１系の状態管理テーブルの自系局内ＩＦ部運用状態情報が、非運用中（ＳＢＹ）の場合に限り、局内ＩＦ部の切替えを、ＡＰＳ規定に従って実行し、切替処理実行時は、局内ＩＦ部運用状態情報を更新する。
（１２）．基本０系の切替制御部６１０　から上位オペレーションシステムＯｐＳに対して基本１系とのリンク要求を送信する。
（１３）．このリンク要求に対するリンク応答を受信して、基本１系とリンクする。
【００８６】
カスケードサブラック側動作
（１）．図２８に示すように、カスケード０系の共通部５４０　に切替要因が発生すると、カスケード両系の切替制御部５４０　，５４１　は、この切替要因発生通知を検出する。
（２）．カスケード１系のサービス状態を参照し、故障，未実装等による非サービス中（ＯＵＳ）の場合は、状態管理テーブルの更新とランプ制御とを行う。
又サービス中（ＩＮＳ）の場合は、切替要因に従って状態管理テーブルを更新し、ランプ制御を行う。
【００８７】
（３）．カスケード１系は、基本サブラック５０へ通知し、基本サブラック切替処理待ちタイマを起動し、タイムアウト時は、基本サブラックで切替処理ができなかったものと判断して、基本サブラックの系に合わせる為に、切替処理を実行しない。即ち、図２６のステップ（Ｆ８）に於けるタイムアウトに相当し、その後の処理は終了とする。その後、前述の基本サブラック側の（４）〜（９）の処理が行われる。
【００８８】
（１０）．図２９に示すように、前述の基本サブラック側の（１０）の動作に対応して、カスケードの両系の共通部５４０　，５４１　は、基本１系より共通部切替指示を受信する。
（１１）．切替要因が発生したカスケード０系と、カスケード１系とに於ける他系サービス状態情報が非サービス中（ＯＵＳ）、他盤故障状態情報が異常に設定されているか否かを確認する。設定されていない場合は、それぞれ非サービス中（ＯＵＳ）と異常とを設定し、ランプ制御を行う。
【００８９】
（１２）．カスケード１系の切替制御部６２１　，６３１　は、上位オペレーションシステムＯｐＳに対して、ＯｐＳ−ＩＦ部７６０　，７９０　を介してリンク断要求を送信する。
（１３）．上位オペレーションシステムＯｐＳから、ＯｐＳ−ＩＦ部７６０　，７９０　を介してリンク断応答を受信すると、カスケード０系とのリンクを断とする。
【００９０】
（１４）．カスケード１系は、自系の運用状態情報を運用中（ＡＣＴ）、他系の運用状態状情報を非運用中（ＳＢＹ）となるように状態管理テーブルを更新し、ランプ制御を行う。
（１５）．図３０に示すように、自サブラック配下の加入者線ＩＦ部を切替えて、ランプ制御を行う。
（１６）．カスケード０系の切替制御部６２０　，６３０　は、上位オペレーションシステムＯｐＳに対して、カスケード１系とのリンク要求を送出する。
（１７）．上位オペレーションシステムＯｐＳからのリンク応答を受信して、カスケード１系とリンクする。
【００９１】
図３１，図３２，図３３は、共通部強制切替時の動作フローチャートを示し、図３４，図３５，図３６は、共通部強制切替時の動作説明図である。共通部強制切替えは、上位オペレーションシステム等から、共通部パッケージ交換等の為の０系から１系へ又は反対に１系から０系への切替えを行う強制切替コマンドによって実行されるもので、図３１，図３２は、基本サブラック側動作をステップ（Ｇ１）〜（Ｇ１６）として示し、又図３３はその強制切替時のカスケードサブラック側動作をステップ（Ｈ１）〜（Ｈ１５）として示す。又図３４，図３５，図３６と前述の各図と同一符号は同一部分を示し、（１）〜（１７）は各部の動作順序を示し、矢印方向は、各種情報の通知方向を示す。以下（１）〜（１７）の動作順序に対して、（Ｇ１）〜（Ｇ１６），（Ｈ１）〜（Ｈ１５）の処理ステップを対応させて説明する。
【００９２】
基本サブラック側動作（図３１，図３２，図３４〜図３６参照）
（１）．基本０系のＯｐＳ−ＩＦ部７３０　が上位オペレーションシステムＯｐＳから強制切替コマンドを受信すると（Ｇ１）、基本１系の切替制御部６１１　へこの強制切替コマンドを転送する（Ｇ２）。
（２）．基本１系の切替制御部６１１　はこの強制切替コマンドを受信する（Ｇ３）。
（３）．切替制御部６１１　は、基本１系の状態管理テーブルを参照し、切替可能か否かを調べる。即ち、自系サービス状態情報がサービス中（ＩＮＳ）か否かを判定する（Ｇ４）。非サービス中（ＯＵＳ）の場合は、上位オペレーションシステムＯｐＳへ強制切替エラーを、ＯｐＳ−ＩＦ部７３０　を介して通知する（Ｇ６）。
【００９３】
（４）．自系サービス状態情報がサービス中（ＩＮＳ）の場合は、基本１系の切替制御部６１１　は、上位オペレーションシステムＯｐＳに対して基本０系とのリンク断要求を、ＯｐＳ−ＩＦ部７３０　を介して送信する（Ｇ５）。
（５）．切替制御部６１１　は、上位オペレーションシステムＯｐＳからリンク断応答を、ＯｐＳ−ＩＦ部７３０　を介して受信すると、基本０系とのリンク断とする（Ｇ７）。
（６）．両系のスイッチ部７００　，７０１　を、１系，０系の順に切替え、ランプ制御を行う（Ｇ８）。
【００９４】
（７）．基本０系の切替制御部６１０　は、状態管理テーブルの他系の運用状態情報を運用中（ＡＣＴ）に、自系の運用状態情報を非運用中（ＳＢＹ）にそれぞれ更新し、両系のカスケード接続先に対して、共通部切替指示を送信し、ランプ制御を行う（Ｇ９）。この共通部切替指示に従ってカスケードサブラックは処理を開始する（Ｇ１６）。
（８）．自サブラック配下の加入者線ＩＦ部の切替えと、ランプ制御とを行う（Ｇ１０）。
【００９５】
（９）．基本０系の切替制御部６１０　は、局内ＩＦ部７２０　，７２１　の切替えを行う。
（１０）．基本０系の切替制御部６１０　は、上位オペレーションシステムＯｐＳに対して１系とのリンク要求を行う（Ｇ１１）。
（１１）．上位オペレーションシステムＯｐＳからのリンク応答を受信して、基本１系とリンクする（Ｇ１２）。
【００９６】
（１６）．基本０系の切替制御部６１０　は、カスケード接続先からの共通部強制完了信号を受信する（Ｇ１３）。
（１７）．基本０系の切替制御部６１０　は、共通部強制切替完了信号が、状態管理テーブルに登録されたカスケード１系からのものであるか否かを判定し（Ｇ１４）、判定確認できた時は、上位オペレーションシステムＯｐＳに強制切替完了通知を送出する。（Ｇ１５）。
【００９７】
カスケードサブラック側動作（図３３，図３５，図３６参照）
（８）．カスケードの両系の切替制御部６２０　，６２１　，６３０　，６３１　は、基本１系からの共通部切替指示を受信したか否かを判定する（Ｈ１）。
（９）．受信した時は、カスケード１系の状態管理テーブルを参照して、自系サービス状態情報がサービス中（ＩＮＳ）であるか否かを判定する（Ｈ２）。非サービス中（ＯＵＳ）の場合は、共通部のランプ制御（Ｈ４）と、カスケード０系の状態管理テーブルの自系サービス状態情報を非サービス中（ＯＵＳ）に更新する（Ｈ５）。
【００９８】
（１０）．自系サービス状態情報がサービス中（ＩＮＳ）の場合は、カスケード１系の切替制御部６２１　，６３１　は、上位オペレーションシステムＯｐＳに対してカスケード０系とのリンク断要求を送出する（Ｈ３）。
（１１）．上位オペレーションシステムＯｐＳからリンク断応答を受信すると、カスケード０系とのリンク断とする（Ｈ６）。
（１２）．カスケード１系は、状態管理テーブルの自系運用状態情報を運用中（ＡＣＴ）に、他系運用状態情報を非運用中（ＳＢＹ）にそれぞれ更新して（Ｈ７）、ランプ制御を行う。
【００９９】
（１３）．図３６に示すように、自サブラック配下の加入者線ＩＦ部の切替えと、ランプ制御とを行う（Ｈ８）。
（１４）．カスケード０系の切替制御部６２０　，６３０　は、上位オペレーションシステムＯｐＳに対して、ＯｐＳ−ＩＦ部７６１　，７９１　を介してリンク要求を送信する（Ｈ９）。
【０１００】
（１５）．上位オペレーションシステムＯｐＳからのリンク応答を受信して、カスケード１系とリンクする（Ｈ１０）。
（１６）．基本０系の切替制御部６１０　に共通部強制切替完了通知を送信する（Ｈ１１）。
前述のように、基本０系に、強制切替コマンドを入力することにより、基本０系を基本１系に切替えると共に、カスケード０系をカスケード１系に切替えて、基本１系に対してカスケード１系をカスケード接続した状態で運用することができる。
【０１０１】
図３７は両系同時立上げ時の０系側動作フローチャート、図３８，図３９は両系同時立上げ時の１系側動作フローチャート、図４０，図４１はサブラックとして示す両系同時立上げ時の動作説明図であり、図４０，図４１に於いて、添字の０は０系、１は１系を示すもので、８１０　，８１１　は共通部、８２０　，８２１　は監視制御部、８３０　，８３１　はＯｐＳ−ＩＦ部、８４０　，８４１　はスイッチ部や局内ＩＦ部等の装置内各部、８５０　，８５１　は装置内メモリ、８６０　，８６１　はバックアップメモリ、８７は加入者線ＩＦ部を示す。
【０１０２】
以下図４０，図４１に於ける動作順序（１）〜（１６）と、図３７〜図３９のステップ（Ｊ１）〜（Ｊ１５），（Ｋ１）〜（Ｋ１５），（Ｌ１）〜（Ｌ５）とを対応させて説明する。
【０１０３】
（１）．電源ＯＮ又はパッケージを挿入する（Ｊ１），（Ｋ１）。
（２）．監視制御部８２０　，８２１　を立上げ（Ｊ２），（Ｋ２）、状態管理テーブルの自系立上状態情報を立上中に設定し（Ｊ３），（Ｋ３）、ランプ制御を行う。
（３）．共通部８１０　，８１１　の機能の初期化を行う（Ｊ４），（Ｋ４）。
【０１０４】
（４）．状態管理テーブルを参照して立上げ方法を判定する（Ｊ４），（Ｋ５）。
（５）．１系はタイマを設定し（Ｋ６）、０系が立上ったか否かを、タイムアウトの有無で判定する（Ｋ７）。タイムアウトの場合は、１系の共通部８１１　を運用中（ＡＣＴ）として立上げる（Ｋ１４）。この立上処理は、図３７のステップ（Ｊ６）〜（Ｊ１４）の処理と同一とすることができる。又タイムアウトでない場合は、０系からの立上完了通知を受信できたか否かを判定する（Ｋ８）。
【０１０５】
（６）．０系は、自系バックアップメモリ８６０　内のデータを装置内メモリ８５０　へコピーする（Ｊ５）。
（７）．自サブラック配下の立上済加入者線ＩＦ部８７よりデータをアップロードさせ、装置内メモリ８５０　のデータを更新し、未立上加入者線ＩＦ部８７に対してはデータをダウンロードする。自サブラック配下の加入者線ＩＦ部８７の個数分の処理未終了か否かを判定し（Ｊ７）、未終了の場合は、自サブラック配下の加入者線ＩＦ部８７が立上済か否かを判定し（Ｊ８）、立上済の場合は、装置内メモリ８５０　へ加入者線ＩＦ部８７のデータをアップロードし（Ｊ９）、又立上済でない場合は、装置内メモリ８５０　より加入者線ＩＦ部８７へデータをダウンロードし（Ｊ１０）、ステップ（Ｊ７）へ移行する。
【０１０６】
（８）．ステップ（Ｊ７）に於ける判定の結果、処理終了の場合、自系状態管理テーブルの自系（０系）運用状態情報を運用中（ＡＣＴ）に更新し、ランプ制御を行う（Ｊ１１）。
（９）．０系の状態管理テーブルの自系立上状態情報を立上済に、自系サービス状態情報をサービス中（ＩＮＳ）に更新する（Ｊ１２）。
【０１０７】
（１０）．０系の監視制御部８２０　は、上位オペレーションシステムＯｐＳへリンク要求を送出する（Ｊ１３）。
（１１）．上位オペレーションシステムＯｐＳからのリンク応答を受信してリンクし（Ｊ１４）、他系の共通部へ立上完了と運用状態（ＡＣＴ）とを通知する（Ｊ１５）。
【０１０８】
（１２）．１系は、０系の立上完了通知を受信し、状態管理テーブルを参照して、０系正常運用か否かを判定し（Ｋ９）、正常運用でない場合は、１系の共通部８１１　を運用中（ＡＣＴ）として立上げる（Ｋ１５）。この場合の立上処理は、図３７のステップ（Ｊ６）〜（Ｊ１４）の処理と同一とすることができる。又正常運用の場合は、０系バックアップメモリ８６０　から１系バックアップメモリ８６１　へデータをコピーする（Ｋ１０）。
（１３）．１系は自系バックアップメモリ８６１　のデータを装置内メモリ８５１　にコピーする（Ｋ１１）。
【０１０９】
（１４）．１系は自系の運用状態情報を非運用中（ＳＢＹ）として、状態管理テーブルに設定し、ランプ制御を行う（Ｋ１２）。
（１５）．１系は、状態管理テーブルの自系立上状態情報を立上済に、自系サービス状態情報をサービス中（ＩＮＳ）に設定する（Ｋ１３）。
【０１１０】
又カスケードサブラックの立上げの場合は、状態管理テーブルを参照して、カスケードサブラックの運用状態情報と、基本サブラックの運用状態情報とが一致しているか否かを確認して、異なる場合は、一致するように切替処理を行うものである。従って、基本サブラックの０系又は１系に対して、同一の系となるように、カスケードサブラックを立上げることができる。
【０１１１】
本発明は、前述の各実施の形態にのみ限定されるものではなく、種々付加変更することが可能であり、例えば、サブラック単位で、基本サブラックに対して更に多数のサブラックをカスケード接続することも可能である。又切替制御部等の冗長構成の切替制御を行う手段は、既に知られている各種の構成によって実現することができるものである。
【０１１２】
【発明の効果】
以上説明したように、本発明は、監視制御部５と切替制御部とを含む監視制御系と、局内ＩＦ部８とスイッチ部７とを含む主信号系とを１パッケージ化した共通部を、０系と１系として冗長構成として、ｎ：１の冗長構成の加入者線ＩＦ部と、局側対向装置との間に接続し、共通部２−１，２−２の一方を運用中（ＡＣＴ）とし、他方を非運用中（ＳＢＹ）とした時に、非運用中（ＳＢＹ）側の監視制御系の切替制御部により、系切替えの制御を行わせるもので、通信装置を構成するパッケージを、共通部と加入者線ＩＦ部との２種類として、同一構成のパッケージを製作することによってコストダウンを図ることができる。
【０１１３】
又冗長構成の監視制御系について、非運用中の共通部の切替制御部を用いて、切替要因発生時に系切替えを制御させることにより、運用中の共通部の監視制御部による制御を必要としないので、高速で系切替えを可能とすることができる利点がある。
【０１１４】
又０系と１系との共通部を含めてサブラックとし、一つを基本サブラック５０として、他のサブラック５１，５２をカスケード接続することにより、サブラック単位で容易に増設することが可能となる利点がある。又各サブラックは０系と１系との共通部を含む冗長構成を有し、切替要因発生時には、基本サブラックの監視制御系の切替制御部によってカスケードサブラックの監視制御系の切替制御部に通知して、基本サブラックとカスケードサブラックとの系を同一とし、且つ系切替えを高速化することができる利点がある。
【図面の簡単な説明】
【図１】本発明の実施の形態の説明図である。
【図２】共通部通信情報の説明図である。
【図３】共通部切替構成の説明図である。
【図４】バックアップデータ蓄積構成の説明図である。
【図５】系切替処理の説明図である。
【図６】立上げ処理の説明図である。
【図７】共通部交絡接続の説明図である。
【図８】系切替え構成の説明図である。
【図９】切替要因による系切替処理の説明図である。
【図１０】本発明の実施の形態のカスケード接続構成の説明図である。
【図１１】登録内容の説明図である。
【図１２】登録内容の定義の説明図である。
【図１３】サブラック間通信の説明図である。
【図１４】運用時の状態情報の説明図である。
【図１５】故障発生時の説明図である。
【図１６】運用状態変化時の説明図である。
【図１７】状態管理テーブルの説明図である。
【図１８】基本サブラック共通部故障時のフローチャートである。
【図１９】基本サブラック共通部故障時のフローチャートである。
【図２０】カスケードサブラック処理のフローチャートである。
【図２１】基本サブラック切替要因発生時の説明図である。
【図２２】基本サブラック切替要因発生時の説明図である。
【図２３】基本サブラック切替要因発生時の説明図である。
【図２４】カスケードサブラック共通部故障時のフローチャートである。
【図２５】カスケードサブラック共通部故障時のフローチャートである。
【図２６】カスケードサブラック共通部故障時のフローチャートである。
【図２７】カスケードサブラック共通部故障時のフローチャートである。
【図２８】カスケードサブラック切替要因発生時の説明図である。
【図２９】カスケードサブラック切替要因発生時の説明図である。
【図３０】カスケードサブラック切替要因発生時の説明図である。
【図３１】共通部強制切替時の動作フローチャートである。
【図３２】共通部強制切替時の動作フローチャートである。
【図３３】共通部強制切替時の動作フローチャートである。
【図３４】共通部強制切替時の動作説明図である。
【図３５】共通部強制切替時の動作説明図である。
【図３６】共通部強制切替時の動作説明図である。
【図３７】両系同時立上げ時の０系側動作フローチャートである。
【図３８】両系同時立上げ時の１系側動作フローチャートである。
【図３９】両系同時立上げ時の１系側動作フローチャートである。
【図４０】両系同時立上げ時の動作説明図である。
【図４１】両系同時立上げ時の動作説明図である。
【図４２】通信システムの説明図である。
【図４３】従来の通信装置の説明図である。
【符号の説明】
１　通信装置
２−１，２−２　共通部
３−０〜３−ｎ　加入者線ＩＦ部
４　主信号部
５　監視制御部
６　クロック部
７　スイッチ部
８　局内ＩＦ部
９　拡張ＩＦ部
【図１】
2004112721.tif 000003
【図２】
2004112721.tif 000004
【図３】
2004112721.tif 000005
【図４】
2004112721.tif 000006
【図５】
2004112721.tif 000007
【図６】
2004112721.tif 000008
【図７】
2004112721.tif 000009
【図８】
2004112721.tif 000010
【図９】
2004112721.tif 000011
【図１０】
2004112721.tif 000012
【図１１】
2004112721.tif 000013
【図１２】
2004112721.tif 000014
【図１３】
2004112721.tif 000015
【図１４】
2004112721.tif 000016
【図１５】
2004112721.tif 000017
【図１６】
2004112721.tif 000018
【図１７】
2004112721.tif 000019
【図１８】
2004112721.tif 000020
【図１９】
2004112721.tif 000021
【図２０】
2004112721.tif 000022
【図２１】
2004112721.tif 000023
【図２２】
2004112721.tif 000024
【図２３】
2004112721.tif 000025
【図２４】
2004112721.tif 000026
【図２５】
2004112721.tif 000027
【図２６】
2004112721.tif 000028
【図２７】
2004112721.tif 000029
【図２８】
2004112721.tif 000030
【図２９】
2004112721.tif 000031
【図３０】
2004112721.tif 000032
【図３１】
2004112721.tif 000033
【図３２】
2004112721.tif 000034
【図３３】
2004112721.tif 000035
【図３４】
2004112721.tif 000036
【図３５】
2004112721.tif 000037
【図３６】
2004112721.tif 000038
【図３７】
2004112721.tif 000039
【図３８】
2004112721.tif 000040
【図３９】
2004112721.tif 000041
【図４０】
2004112721.tif 000042
【図４１】
2004112721.tif 000043
【図４２】
2004112721.tif 000044
【図４３】
2004112721.tif 000045